(57)【特許請求の範囲】
【請求項１】
ワイヤレス送受信ユニット（ＷＴＲＵ）で用いる方法であって、
前記方法は、
前記ＷＴＲＵがピギーバック肯定応答／否定応答（ＰＡＮ）フィールドを生成するステップと、
前記ＷＴＲＵが前記ＰＡＮフィールドからＰＡＮチェックシーケンス（ＰＣＳ）を生成するステップと、
前記ＷＴＲＵが、所定の条件に基づいて、５ビットから成るＴＦＩ（temporary flow identity）値で前記ＰＣＳをマスクするステップであって、前記５ビットのそれぞれはゼロ値を有する、ステップと、
前記ＷＴＲＵが前記ＰＡＮフィールドおよび前記マスク済みＰＣＳを含むデータを送信するステップと
を備えることを特徴とする方法。
【請求項２】
基地局で用いる方法であって、
前記方法は、
前記基地局がピギーバック肯定応答／否定応答（ＰＡＮ）フィールドおよびマスク済みＰＡＮチェックシーケンス（ＰＣＳ）を含むデータを受信するステップであって、前記マスク済みＰＣＳは、５ビットから成るＴＦＩ（temporary flow identity）値で前記ＰＡＮフィールドから生成されるＰＣＳによってマスクされており、前記５ビットのそれぞれはゼロ値を有する、ステップと、
前記基地局が、所定の条件に基づいて、前記ＴＦＩ値を用いて前記マスク済みＰＣＳを復号するステップと
を備えることを特徴とする方法。
【請求項３】
ワイヤレス送受信ユニット（ＷＴＲＵ）であって、
ピギーバック肯定応答／否定応答（ＰＡＮ）フィールドを生成し、
前記ＰＡＮフィールドからＰＡＮチェックシーケンス（ＰＣＳ）を生成し、
所定の条件に基づいて、５ビットから成るＴＦＩ（temporary flow identity）値で前記ＰＣＳをマスクする
ように構成されるプロセッサと、
前記ＰＡＮフィールドおよび前記マスク済みＰＣＳを含むデータを送信する送信機と
を備えることを特徴とするＷＴＲＵ。
【請求項４】
基地局であって、
ピギーバック肯定応答／否定応答（ＰＡＮ）フィールドおよびマスク済みＰＡＮチェックシーケンス（ＰＣＳ）を含むデータを受信するように構成される受信機であって、前記マスク済みＰＣＳは、５ビットから成るＴＦＩ（temporary flow identity）値で前記ＰＡＮフィールドから生成されるＰＣＳによってマスクされており、前記５ビットのそれぞれはゼロ値を有する、受信機と、
所定の条件に基づいて、前記ＴＦＩ値を用いて前記マスク済みＰＣＳを復号するように構成されるプロセッサと
を備えることを特徴とする基地局。
【請求項５】
前記ＰＣＳをマスクするステップは、前記ＴＦＩ値モジュロ２を前記ＰＣＳの最後の５ビットに追加することを備えることを特徴とする請求項１に記載の方法。
【請求項６】
前記所定の条件は、前記ＷＴＲＵがアップリンク方向において一つのＴＢＦ（temporary block flow）を割り当てられることであることを特徴とする請求項１に記載の方法。
【請求項７】
前記所定の条件は、所望のアクションが前記ＷＴＲＵに影響を与えることであることを特徴とする請求項１に記載の方法。
【請求項８】
前記所定の条件は、前記ＰＡＮフィールドが１つより多くのＷＴＲＵによって復号される必要があることであることを特徴とする請求項１に記載の方法。
【請求項９】
前記所定の条件は、特定の受信局がアップリンク方向において一つのＴＢＦ（temporary block flow）を割り当てられることであることを特徴とする請求項２に記載の方法。
【請求項１０】
前記所定の条件は、所望のアクションが特定の受信局に影響を与えることであることを特徴とする請求項２に記載の方法。
【請求項１１】
前記所定の条件は、前記ＰＡＮフィールドが１つより多くの受信局によって復号される必要があることであることを特徴とする請求項２に記載の方法。
【請求項１２】
前記プロセッサは、前記ＴＦＩ値モジュロ２を前記ＰＣＳの最後の５ビットに追加することによって前記ＰＣＳをマスクするように構成されることを特徴とする請求項３に記載のＷＴＲＵ。
【請求項１３】
前記所定の条件は、前記ＷＴＲＵがアップリンク方向において一つのＴＢＦ（temporary block flow）を割り当てられることであることを特徴とする請求項３に記載のＷＴＲＵ。
【請求項１４】
前記所定の条件は、所望のアクションが前記ＷＴＲＵに影響を与えることであることを特徴とする請求項３に記載のＷＴＲＵ。
【請求項１５】
前記所定の条件は、前記ＰＡＮフィールドが１つより多くのＷＴＲＵによって復号される必要があることであることを特徴とする請求項３に記載のＷＴＲＵ。
【請求項１６】
前記所定の条件は、特定の受信局がアップリンク方向において一つのＴＢＦ（temporary block flow）を割り当てられることであることを特徴とする請求項４に記載の基地局。
【請求項１７】
前記所定の条件は、所望のアクションが特定の受信局に影響を与えることであることを特徴とする請求項４に記載の基地局。
【請求項１８】
前記所定の条件は、前記ＰＡＮフィールドが１つより多くの受信局によって復号される必要があることであることを特徴とする請求項４に記載の基地局。
【発明の詳細な説明】
【技術分野】
【０００１】
本発明は、ワイヤレス通信に関する。
【背景技術】
【０００２】
待ち時間の削減は、ＧＳＭ／ＥＤＧＥリリース７無線アクセスネットワーク（ＧＥＲＡＮ）発展において、よく知られた作業項目の１つである。主として、この分野において研究されている２つの技術がある。すなわち、送信時間間隔の削減（ＲＴＴＩ：reduced transmission time interval）特徴および高速肯定型応答／否定型応答（ＡＣＫ／ＮＡＣＫ）報告（ＦＡＮＲ：fast positive acknowledgement/negative acknowledgement (ACK/NACK) reporting）特徴（feature）である。
【０００３】
ＲＴＴＩ特徴およびＦＡＮＲ特徴の双方は、別々に動作することも、組み合わせて動作することもできる。さらに、ＲＴＴＩ特徴およびＦＡＮＲ特徴の双方は、発展汎用パケット無線サービス（ＥＧＰＲＳ：evolved general packet radio services）の変調およびコーディング方式ＭＣＳ−１からＭＣＳ−９（ＦＡＮＲを実装することができないＭＣＳ−４、ＭＣＳ−９は除く）と組み合わせて、または新規のリリース７およびＥＧＰＲＳ−２の変調およびコーディング方式ＤＡＳ−５からＤＡＳ−１２、ＤＢＳ−５からＤＢＳ−１２、ＵＡＳ−７からＵＡＳ−１１、ＵＢＳ−５からＵＢＳ−１２を越えるものと組み合わせて用いることができる。ＲＴＴＩ動作モードおよびＦＡＮＲ動作モードは、ダウンリンクデュアル搬送波（ＤＬＤＣ：Downlink Dual-Carrier）特徴やダウンリンク受信機性能向上（ＤＡＲＰ：Downlink Advanced Receiver Performance）動作など、他の既存リリース７ＧＥＲＡＮエボリューション特徴でも可能である。
【０００４】
プレリリース７移動体通信用グローバルシステム（ＧＳＭ）、汎用パケット無線サービス（ＧＰＲＳ）およびＥＧＰＲＳ動作モードによって記載されている従来技術では、ＡＣＫ／ＮＡＣＫ報告は通常、ＲＬＣ／ＭＡＣ制御ブロックとも呼ばれる明示的無線リンク制御（ＲＬＣ：radio link control）／メディアアクセス制御（ＭＡＣ：medium access control）プロトコルメッセージに入れて送られていた。このような明示的ＲＬＣ／ＭＡＣプロトコルメッセージの例は、パケットダウンリンク（ＤＬ）ＡＣＫ／ＮＡＣＫまたはパケットアップリンク（ＵＬ）ＡＣＫ／ＮＡＣＫメッセージを含む。ＲＬＣ／ＭＡＣ制御ブロックは、一時ブロックフロー（ＴＢＦ：temporary block flow）と呼ばれる、ある一定の無線資源に向けて送られる（addressed）。
【０００５】
ＴＢＦとは、データの一方向転送をサポートするための、移動局とネットワークとの間の一時接続である。移動局およびネットワークによってサポートされる場合、１つの移動局に複数のＴＢＦを割り振ることができる。ＴＢＦは、一時的であり、データ転送が持続する間だけ維持される。各ＴＢＦには、ネットワークによって一時フロー識別（ＴＦＩ：temporary flow identity）が割り当てられる。ＴＦＩは、各方向に同時に存在するＴＢＦの中で一意であり、ＲＬＣ／ＭＡＣ層において移動局識別（mobile station identity）の代わりに使われる。たとえば、ＧＰＲＳおよびＥＧＰＲＳ動作モードでは、意図した受信機（すなわち、ワイヤレス送受信ユニット（ＷＴＲＵ）またはネットワーク）に、受信した無線ブロックの宛先を判定させるために、同じＴＦＩが、ある特定のＴＢＦに属すすべてのＲＬＣ／ＭＡＣヘッダーに含まれる。
【０００６】
ＲＬＣ／ＭＡＣ制御ブロック全体の使用に関連づけられた送信待ち時間を削減するために、ＧＳＭ／（Ｅ）ＧＰＲＳリリース７では、データを損失せずに無線ブロックのチャネルコーディングデータ部分からいくつかのビットを間引くことによって、ＲＬＣ／ＭＡＣデータブロック上に「ピギーバック」されたある一定のＴＢＦに関するＡＣＫ／ＮＡＣＫ報告を送ることが提案されている。この新しいフィールドは、必要なときに、ＲＬＣ／ＭＡＣデータブロックに挿入され、ピギーバックＡＣＫ／ＮＡＣＫ（ＰＡＮ）フィールドと呼ばれる、無線ブロックの一部としてＡＣＫ／ＮＡＣＫ報告を搬送する。ＰＡＮの挿入が可能であり、ＤＬおよびＵＬ方向の双方に対して設定することができる。ＰＡＮフィールドがＤＬでＷＴＲＵに送られるとき、ＷＴＲＵによってＵＬ方向に以前に送られたデータユニットまたはプロトコルデータユニット（ＰＤＵ）に対するＡＣＫまたはＮＡＣＫを搬送する。逆もまた同様である。無線ブロック中のＰＡＮフィールドの有無は、ＲＬＣ／ＭＡＣヘッダーによって、ビットまたはビットフィールドのセットで、あるいはＲＬＣ／ＭＡＣヘッダータイプに従って他のコードポイントをセットすることによって示される。したがって、ＰＡＮフィールドの有無は、無線ブロックの送信用に選ばれたＥＧＰＲＳ／ＥＧＰＲＳ−２変調およびコーディング方式に依存する。ＤＬ方向では、ＲＬＣ／ＭＡＣデータブロックのＰＡＮフィールドは可能性としては、無線ブロック中のデータユニット（またはＰＤＵ）の受信機として意図されていないＷＴＲＵに向けて送ることができる。あるいは、無線ブロックのＰＡＮフィールドおよびデータユニット（またはＰＤＵ）は、同じＷＴＲＵに向けることができる。ＤＬおよびＵＬ方向両方で、ＰＡＮフィールドが適用されるＴＢＦは可能性としては、受信機が同じ物理ユニット（ＷＴＲＵ、またはネットワーク）である場合でも、無線ブロックのデータユニット（またはＰＤＵ）に対応するＴＢＦとは異なり得る。
【０００７】
ＡＣＫまたはＮＡＣＫをＰＡＮフィールドに入れて搬送する実際のビットフィールド（群）は、異なる手順に従って、たとえば開始シーケンス番号（ＳＳＮ：starting sequence number）に基づく手法や時間に基づく手法を用いて符号化することができる。
【０００８】
ＰＡＮフィールドは、異なるＴＢＦに向けられているかもしれないデータブロックに含められるので、ＰＡＮフィールドがどのＴＢＦに向けられたものであるかを識別する必要がある。さらに、ＰＡＮ送信および受信モードのための追加方法の必要性が、ＧＳＭ／（Ｅ）ＧＰＲＳネットワークにおける追加動作シナリオから生じる。たとえば、ＰＡＮが向けられるＴＢＦの識別は、１つのＷＴＲＵなど、１つの受信機に割り当てられた多数のＴＢＦというケースでも可能である。この動作モードは、ＦＡＮＲを用いた多数ＴＢＦという動作モードを促進するのに必要とされる。
【０００９】
ＰＡＮ送信は、あるＴＢＦに向けられていないＰＡＮフィールドが送られるときなど、特殊なケースに対して行うことができる。この動作モードは、あるデータユニット（またはＰＤＵ）およびその関連ＴＦＩ（群）に関するものではないＰＡＮフィールドの送信および受信を促進するのに必要とされる。ＰＡＮ送信は、ＰＡＮが宛先を指定するべきではない、複数の受信機によって確実に復号されるべきである場合に行うこともできる。たとえば、この動作モードは、ＰＡＮがある受信機グループに送られるときに必要とされる。したがって、このような動作モードを可能にする方法が求められる。
【発明の概要】
【００１０】
ＰＡＮフィールドが向けられるＴＢＦを指示する方法および機器を開示する。シーケンスは、ＰＡＮフィールドが向けられるＴＦＩから生成し、ＰＡＮフィールドから導出されるＰＡＮ検査シーケンス（ＰＣＳ）をマスクするのに使うことができる。ＰＣＳの長さは、ＴＦＩの長さより大きくてよい。たとえば、ＰＣＳは、Ｎ３＝１０ビットでよく、ＴＦＩはＮ２＝５ビットでよい。次いで、ＰＡＮフィールドおよびマスク済みＰＣＳを含む無線ブロックが送信される。シーケンスは、リードマラーコーディング（Reed-Muller coding）、巡回冗長検査（ＣＲＣ）符号化、畳込みコーディング、擬似ノイズ生成、テーブルマッピングなどを用いることによって生成することができる。ＰＣＳは、事前合意または決定論的法則に従って選択される、複数のＴＦＩの１つでマスクすることができる。識別子は、ＰＡＮフィールドが向けられているＴＢＦを識別し得る。さらに、識別用の１つまたは複数の特殊値（群）を選ぶことができる。無線ブロック中でＰＣＳを生成するために選ばれた特殊または選択された識別子は、受信局（群）に割り当てられた全ＴＢＦを表すこともでき、無線ブロックを復号する複数の受信局に影響を与えるアクションを表すこともでき、ＰＡＮエンコーダおよびデコーダ動作を容易にするのに使うこともできる。
【００１１】
添付の図面とともに例として挙げられる以下の説明により、より詳細に理解できよう。
【図面の簡単な説明】
【００１２】
【図１】無線ブロック例を示す図である。
【図２】送信局を示すブロック図例である。
【図３】受信局を示すブロック図例である。
【図４】別の実施形態による受信局を示すブロック図例である。
【発明を実施するための形態】
【００１３】
これ以降で言及する場合、「ＷＴＲＵ」という用語は、ユーザ機器（ＵＥ）、移動局、固定もしくは携帯電話加入者ユニット、ページャ、セルラー電話、携帯情報端末（ＰＤＡ）、コンピュータ、またはワイヤレス環境において動作することが可能な他のどのタイプのユーザ装置も含むが、それに限定されない。これ以降で言及する場合、「ノードＢ」という用語は、基地局、サイトコントローラ、アクセスポイント（ＡＰ）、またはワイヤレス環境において動作することが可能な他のどのタイプのインターフェイス装置も含むが、それに限定されない。
【００１４】
本明細書で開示する実施形態は、ＧＥＲＡＮエボリューションなどを含む、どのワイヤレス通信システムにも適用可能である。
【００１５】
図１は、無線ブロック例１００を示す。データ転送用の無線ブロック１００は、１つのＲＬＣ／ＭＡＣヘッダー１０２、ヘッダー検査シーケンス（ＨＣＳ）１０４、１つまたは複数のＲＬＣデータブロック（群）１０６、ブロック検査シーケンス（ＢＣＳ）１０８、ＰＡＮフィールド１１０、およびＰＣＳ１１２を含む。ＲＬＣ／ＭＡＣヘッダー１０２、ＲＬＣデータブロック（群）１０６およびＰＡＮフィールド１１０は、エラー検出および訂正のために別個にコーディングされ、別個のチェックサム（たとえば、巡回冗長検査（ＣＲＣ）チェックサム）が、これらのそれぞれに付加される。ＲＬＣ／ＭＡＣヘッダー１０２は、ＰＡＮフィールド１１０が無線ブロック１００に含まれるかどうかを示す制御フィールドを含む。ＨＣＳ１０４は、ＲＬＣ／ＭＡＣヘッダー１０２のエラー検出に使われる。ＢＣＳ１０８は、ＲＬＣデータブロック１０６のエラー検出に使われる。別個のＢＣＳが、各ＲＬＣデータブロックごとに含まれてもよい。ＰＡＮフィールド１１０は、ある方向に送られるピギーバックＡＣＫ／ＮＡＣＫ情報を含む。この情報は、別の方向のＴＢＦについての肯定応答を与える。ＰＣＳ１１２は、ＰＡＮフィールド１１０のエラー検出および受信機識別に使われる。
【００１６】
ＰＡＮフィールドは、異なるＴＢＦに向けられているかもしれないデータブロックに含められるので、ＰＡＮフィールドがどのＴＢＦに向けられたものであるかを識別する必要がある。こうした方法の１つは、ＰＡＮ情報ビットの機能であるＰＣＳを生成すること、および排他ＯＲ（ＸＯＲ）演算を用いてＰＣＳをＴＦＩ値でマスクすることである。送信局は、算出されたＰＣＳとＴＦＩとのＸＯＲ演算を実施する。受信局は、最初にＰＣＳを算出し、ＰＡＮフィールドが受信局に向けられるものであることを確かめるために、算出されたＰＣＳと、それ自体のＴＦＩとのＸＯＲ演算を実施する。この技法の利点は、送信機がＰＡＮフィールドに明示的にＴＦＩビットを入れて送る必要がないことである。ＲＬＣ／ＭＡＣヘッダーに明示的に含まれる、無線ブロックの意図された受信局のＴＦＩとは異なり、ＰＣＳは、受信局による復号プロセス中に、ＴＦＩの暗黙知によって復号される。
【００１７】
一般性を失わずに、ＲＬＣ／ＭＡＣデータまたは制御ブロックの意図された受信局の指定に使われるある特定のＴＢＦに関連づけられたＴＦＩは、Ｎ１＝５ビット長とすることができる。同様に、ＰＡＮフィールド用ＴＦＩも、Ｎ２＝５ビット長とすることができる。ＰＣＳは、Ｎ３＝１０ビット長とすることができる。当業者には明らかなように、Ｎ１、Ｎ２、Ｎ３には他の選択候補が可能であり、本明細書で開示する実施形態を、等しく適用することができる。Ｎ２  ＴＦＩビットがＰＣＳの長さより短い場合、ＴＦＩは、ＰＣＳの先頭または末尾のＮ２ビットのみと混合すればよい。あるいは、Ｎ２  ＴＦＩビットは、Ｎ３  ＰＣＳビットから選ばれたＮ２ビットの選択サブセットと混合してよく、ここで、Ｎ２＜Ｎ３である。たとえば、使用可能な１０個のＰＣＳビットｂ１、ｂ２、．．．、ｂ９、ｂ１０のうちから、５つのＰＣＳビットｂ１、ｂ５、ｂ６、ｂ９、ｂ１０からなるサブセットを選ぶことができる。
【００１８】
ただし、この手法には、２つのＴＦＩ（１つは送信側によって使われ、１つは受信側によって使われる）が相互に近い（たとえば、１つのビット値のみが異なる）場合、誤って受け入れる可能性が増すという欠点がある。この問題を克服するために、Ｎ２ビットのＴＦＩ（たとえば、Ｎ２＝５  ＴＦＩ）を、最初にＮビットシーケンスにマップし、次いでＰＣＳでマスクすればよい（すなわち、ＸＯＲ演算）。Ｎは、ＰＣＳの長さと同じとすることができる。あるいは、Ｎは、ＰＣＳの長さより小さくなるように選ぶことができる。
【００１９】
図２は、送信局２００のブロック図例である。送信局２００は、ＷＴＲＵ、ノードＢ、あるいは他のどの機器または装置でもよい。送信局２００は、ＰＣＳジェネレータ２０２、シーケンスジェネレータ２０４、マスキングユニット２０６、およびトランシーバ２０８を含む。ＰＡＮフィールドが、ＰＣＳジェネレータ２０２に入力される。ＰＣＳジェネレータ２０２は、ＰＡＮフィールド２０１に基づいてＰＣＳを生成する。たとえば、ＰＣＳジェネレータ２０２は巡回冗長検査（ＣＲＣ）エンコーダでよく、ＰＣＳは、ＰＡＮフィールドに基づいて生成されるＣＲＣチェックサムでよい。シーケンスジェネレータ２０４は、Ｎ２ビットのＴＦＩからＮビットのシーケンスを生成する。マスキングユニット２０６は次いで、ＰＣＳをＮビットのシーケンスでマスクする。シーケンスでのＰＣＳビットのマスキングは、モジュロ２加算（すなわち、ＸＯＲ演算）で実施することができる。トランシーバ２０８は、ＰＡＮフィールドおよびマスク済みＰＣＳを含むデータブロックを送る。この方式を用いると、ＴＦＩは、ＴＢＦを識別するための明示的ビットを使わずに、ＰＡＮフィールドに入れて送信することができる。送信前に、チャネルコーディング（たとえば前方誤り訂正（ＦＥＣ）コーディング、レートマッチング、インターリーブなど）を実施してよい。
【００２０】
ＰＣＳを作るために使われるシーケンスは、シーケンス自体の使用と同程度に単純でよい。たとえば、ＴＦＩがＮ２＝５ビットでありＰＣＳがＮ＝１１ビットの場合、規定の手順は単に、ＴＦＩを有するＰＣＳの先頭Ｎ２ビット、または末尾Ｎ２ビット、あるいはＮビット中の予め定義された任意のＮ２ビットセットをモジュロ２加算することでよい。代替的には、シーケンスは、結果パターンペアの間の差（すなわち、ハミング距離）を最大にする多くの異なるやり方で生成することができる。たとえば、Ｎ２＝５かつＮ＝１１と仮定すると、リードマラー（１６，５）コードを、５ビットのＴＦＩから１６ビットのシーケンスを生成するのに使うことができ、１６ビットのシーケンスは、１１ビットに切り捨ててよい。あるいは、５ビットのＴＦＩを、ＣＲＣジェネレータに通して、１１ビットのシーケンスを作成すればよい。５ビットのＴＦＩは、畳込みエンコーダに通して、１１ビットのシーケンスを作成すればよい。５ビットのＴＦＩは、擬似ノイズ（ＰＮ）ジェネレータ（たとえば、線形シフトレジスタシーケンス）への入力または初期状態として用いて、１１ビットのシーケンスを生成することができる。あるいは、５ビットのＴＦＩを単に反復すればよい。
【００２１】
あるいは、１１×５のマッピングテーブルを使って、５ビットのシーケンスを１１ビットのシーケンスにマップすることができる。マッピングテーブルは、コンピュータ最適化アルゴリズムによって生成することができる。マッピング行列例は、次のようになる。
【００２２】
【数１】
0005156827.tif 000002
【００２３】
たとえば、このマッピング行列を用いると、５ビットのＴＦＩ  Ｂ＝｛０００１１｝は、１１ビットのシーケンスＲ＝｛０００１１１１１００１｝にマップする。この結果、生成されるどのペアの１１ビットシーケンスの間にも、最小ハミング距離４が得られるはずである。
【００２４】
５ビットのＴＦＩを１０ビットにマップするケースでは、以下の（１０，５）組織的コーディングが、最小距離４を生じる。
【００２５】
【数２】
0005156827.tif 000003
【００２６】
最良シーケンスは、最悪ケースペアの間に最大の最小距離をもたらす、３２シーケンスのセットとして定義することができる（Ｎ２＝５の場合）。
【００２７】
上記方式は、Ｎ２＜Ｎ３のとき、Ｎ３ビットのＣＲＣを修正するのにＮ２ビットの識別子が使われるどのマッピングにも適用することができる。Ｎ２≧Ｎ３の場合、識別子のＮ３ビットのみが、ＣＲＣを修正するのに使うことができ、残りの（Ｎ３〜Ｎ２）ビットは、明示的に送ればよい。
【００２８】
図３は、受信局３００のブロック図例である。受信局３００は、ＷＴＲＵ、基地局、または他のどの機器もしくは装置でもよい。受信局３００は、トランシーバ３０２、シーケンスジェネレータ３０４、デマスキングユニット３０６、およびＰＣＳデコーダ３０８を含む。トランシーバ３０２は、ＰＡＮフィールドおよびマスク済みＰＣＳを含む無線ブロックを受信する。トランシーバ３０２は、ＰＡＮフィールドおよびマスク済みＰＣＳを出力する。シーケンスジェネレータ３０４は、受信局３００に割り当てられたＴＦＩから、シーケンスを生成する。デマスキングユニット３０６は、受信したマスク済みＰＣＳを、生成されたシーケンスでデマスクする。デマスキングユニット３０６は、ＰＡＮビットおよびデマスク済みＰＣＳビットを出力する。ＰＣＳデコーダ３０８は次いで、ＰＣＳ（たとえば、ＣＲＣビット）を、受信したＰＡＮフィールドに基づいて計算し、計算したＰＣＳを、受信したデマスク済みＰＣＳと比較する。２つのＰＣＳが一致する場合、受信したＰＡＮフィールドは、受信局３００に向けられたものであると宣言される。２つのＰＣＳが一致しない場合、ＰＡＮフィールドは、受信局３００に向けられたものではないと宣言され、破棄してよい。
【００２９】
あるいは、上の手順と数学的に同一である異なるやり方で、受信処理を実施することができる。図４は、この代替法による受信局４００を示す。トランシーバ４０２が、ＰＡＮフィールドおよびマスク済みＰＣＳを含む無線ブロックを受信する。トランシーバ４０２は、ＰＡＮフィールドおよびマスク済みＰＣＳを出力する。シーケンスジェネレータ４０４が、受信局４００に割り当てられたＴＦＩから、シーケンスを生成する。ＰＣＳエンコーダ４０６が、受信したＰＡＮフィールドに基づいて、ＰＣＳ（たとえば、ＣＲＣビット）を計算する。マスキングユニット４０８が、計算されたＰＣＳを生成されたシーケンスでマスクする。比較器４１０が次いで、受信したＰＣＳビットを再生成されたマスク済みＰＣＳビットと比較する。２つのＰＣＳが一致する場合、受信したＰＡＮフィールドは、受信局４００に向けられたものであると宣言される。２つのＰＣＳが一致しない場合、ＰＡＮフィールドは、受信局４００にむけられたものではないと宣言され、破棄してよい。
【００３０】
代替実施形態として、所定の条件の出現に依存してＰＣＳを計算するのにどの可能候補ＴＦＩ（群）を使えばよいか判定する、規則に基づく方式を、送信局と受信局との間で実装することができる。１つまたは複数のＰＡＮフィールド発生による、どの可能候補ＴＦＩ（群）を使えばよいかの判定は結果として、１つの可能候補ＴＦＩ値への、または複数ではあるが全体としての可能ＴＦＩ値の数よりは少ないＴＦＩ値への制約を生じ得る。可能ＴＦＩ値を制限し、または判定するための異なる条件が可能である。たとえば、ＧＳＭシステムにおけるフレーム番号またはタイマあるいは等価な計時測度への依存、受信した無線ブロックまたは信号のタイプなど、以前のイベントへの依存、第１の識別子と併せて復号されるべき他の識別子への依存などを用いることができる。
【００３１】
送信局と受信局は、所与の任意の瞬間に（すなわち、特定のダウンリンク無線ブロックにおいて）どのＴＦＩを送信すればよいかについて、事前に合意することができる。受信局が、受信したＰＡＮフィールドを、割り振られた複数のＴＦＩ値に突き合わせてテストする必要がある場合、受信局は、事前に合意した規則に基づいて、ある特定のＴＦＩを、所与の瞬間にテストされるべきと判定する。たとえば、受信局が、異なるマスキングを受けた２つのＣＲＣ値を生じる、割り振られた２つのＴＢＦをもつと仮定すると、送信局および受信局は、偶数の無線フレーム中ではＴＦＩ＃１を、奇数の無線フレーム中ではＴＦＩ＃２を利用すると合意することができる。受信したＰＡＮフィールドごとに、ＴＦＩマスクされた双方のＣＲＣ仮定と突き合わせてテストするのではなく、受信局は、ただ１つのＴＦＩ値を用いてテストすればよい。この方式は、複数のＴＢＦ向けにそのまま拡張することができる。
【００３２】
別の実施形態によると、ＰＣＳにより示されるＴＢＦ番号（すなわち、ＴＦＩ）は、ＲＬＣ／ＭＡＣデータブロック中の別の二次識別子に依存して作ればよい。送信局が、ＰＡＮフィールド、マスク済みＰＣＳ、および二次識別子を含む無線ブロックを送る。受信局がただ１つのＴＦＩを検査するだけでよいように、二次識別子は、ＰＡＮフィールドがむけられたＴＢＦを示す。たとえば、二次識別子は、ＰＡＮの意図された受信機が、ＲＬＣ／ＭＡＣヘッダーのＴＦＩで示されるデータユニット（またはＰＤＵ）の宛先と同じであることを示すように、ＲＬＣ／ＭＡＣヘッダー中に配置すればよい。
【００３３】
二次識別子に基づいて受信局がどのＴＦＩを検査する必要があるか判定するためのＰＡＮフィールドを、受信した無線ブロックが含むと判定されると、受信局は最初に、二次識別子を検査する。この方式では、受信局は、受信局に割り当てられた全ＴＦＩと突き合わせる複数回テストではなく、ただ一度のＣＲＣテストを実施すればよい。二次識別子は、送信局と他の受信局との間で使われる識別子でよい。たとえば、ＴＦＩ  ｍは、一定のＲＬＣ／ＭＡＣヘッダーフィールドまたはＰＡＮフィールドがＲＬＣ／ＭＡＣデータブロック中に存在する場合にのみ出現し得る。
【００３４】
別の実施形態によると、ある特定の受信局に割り振られた許容可能な全ＴＢＦを表す特殊または予約値を、受信局に向けられたＰＡＮフィールドの存在を受信局に示すのに使うことができる。送信局は、ＰＡＮフィールド、特殊または予約値を使って導出されたマスク済みＰＣＳ、および二次識別子を含む無線ブロックを送る。特殊または予約値は、受信局に割り当てられた全ＴＢＦを表す。二次識別子は、ＰＡＮフィールドの指定先であるＴＢＦを示す。特殊値は、ＰＣＳでマスクすることができる。二次ビットフィールドは、データブロックのヘッダーの一部とすることができる。
【００３５】
受信局は、ＰＡＮフィールドおよびマスク済みＰＣＳを含む無線ブロックを受信し、特殊または予約値を検出する。特殊値を検出すると、受信局は、受信した無線ブロックが、受信局に向けられたＰＡＮフィールドを含むと認識する。というのは、特殊値は、受信局に割り当てられた全ＴＢＦを表すからである。受信局は、ＰＡＮフィールドが向けられているＴＢＦを示す二次識別子を検出する。受信局は次いで、二次識別子に基づいて、選択されたＴＦＩでＰＣＳ復号を実施する。
【００３６】
さらに別の実施形態によると、無線ブロックをリッスンする受信局に影響を与えるアクションを示すようにＰＣＳをマスクするのに、ＰＡＮフィールドに対して、特殊または予約識別子値を使うことができ、この値は、ＰＡＮエンコーダおよびデコーダ動作を容易にするのにも使うことができる。この方式は、単独で使っても、上述したどの実施形態と一緒に使ってもよい。
【００３７】
第１の例において、無線ブロックにＰＡＮフィールドに含まれ、特殊または予約識別子値が制御目的で使われるとき、ＰＣＳをマスクするのに、特殊または予約識別子値が利用される。たとえば、ＰＣＳにより示されるこの特殊または予約値は、一定の肯定応答（ＡＣＫ）ウィンドウのリセットを示すことができ、あるいは送受信状態アレイＶ（Ａ）、Ｖ（Ｂ）、または類似物など、ＲＬＣ／ＭＡＣプロトコル情報に関する情報を示すことができる。
【００３８】
第２の例において、受信したＰＡＮが複数の受信局によって復号されるべきである（時間に基づくＰＡＮ符号化のケースなど）とき、およびＰＡＮのペイロードがおそらくは複数の受信局に関する情報を含む場合、ＰＣＳをマスクするのに、特殊または予約識別子値が利用される。
【００３９】
第３の例において、ＰＡＮの出現およびＴＢＦのデータユニット（またはＰＤＵ）とのＰＡＮの関連づけが、疑いなく状況に結びつけられ、または意図された受信機によって状況から判定されるときなどに、受信局での復号を容易にするために、ＰＣＳをマスクするのに特殊または予約識別子値が使われる。たとえば、特殊または予約値は、ネットワークへの送信の際、ＵＬで使うことができる。というのは、単一ＷＴＲＵが一般に、ネットワークによる制御下で、アップリンク状態フラグ（ＵＳＦ：uplink state flag）割当て手順により、ＵＬタイムスロット中の送信機会に疑いなく関連づけられるからである。また、特殊または予約値は、ＵＬでＷＴＲＵが複数のＴＢＦを割り当てられない時にもＵＬで使うことができる。
【００４０】
複数の特殊または予約値を、システム内で使うことができる。受信局（ＷＴＲＵまたはネットワーク）は、受信したシステムセットアップまたは設定メッセージに依存して、受信したＰＡＮの復号が柔軟に設定される手順を実装することができる。あるケースでは、受信局は、１つまたは複数の特殊または予約識別子のみと突き合わせて、ＰＡＮを復号することができる。別のケースでは、受信局は、割り当てられた１つまたは複数のＴＦＩ（群）のみと突き合わせて、ＰＡＮを復号することができる。さらに別のケースでは、受信局は、１つまたは複数の特殊または予約値と突き合わせてＰＡＮを復号し、同時に、割り当てられた１つまたは複数のＴＦＩと突き合わせて復号することを試みることができる。
【００４１】
特殊または予約値は、予約ＴＢＦコード、たとえばＴＦＩ値とすることができる。たとえば、ＰＡＮフィールドから生成されたＰＣＳをマスクするのに使われるＴＦＩの全ビットは、特殊または予約値を示すために「０」にセットすればよい。当業者には明らかなように、少なくとも割り当てられた資源セット（ＰＤＣＨ（群）、またはタイムスロット（群）、またはＷＴＲＵ、または受信機（群））におけるＴＢＦに割り当てられた他のＴＦＩ値がない限り、すべてがゼロのシーケンス以外の他の可能選択候補も等しく可能であり等価である。代替的には、ＰＡＮフィールドにおいてＰＣＳをマスクするための特殊または予約値は、ＧＳＭ／（Ｅ）ＧＰＲＳシステム、セルのグループ、１つのセル、資源セット（ＰＤＣＨ）いずれにおいても、常に同じでよく、１つまたは複数の受信局への信号通信または設定およびセットアップメッセージなど、準静的原理で割り当ててもよい。
【００４２】
あるいは、特殊または予約値は、別の独自のＰＡＮフィールドエントリとしても、ビットまたはビットフィールドとしても、ＲＬＣ／ＭＡＣデータまたは制御ブロック中の任意のエントリのコードポイントとしても実現してすることができる。たとえば、特殊または予約値は、ＲＬＣ／ＭＡＣヘッダー中のエントリでもよく、ＰＡＮフィールド中のビットセットでもよい。
【００４３】
特殊または予約値を検出すると、受信局（群）は、特殊値で示されるアクションを実施すればよい。このようなアクションの一例は、時間に基づくＰＡＮ符号化の解釈におけるビットマップに従ったＰＡＮフィールドの復号のように、特殊または予約値の使用状況に特有の規則に従ってＰＡＮフィールドを復号し処理することである。あるいは、特殊または予約値は、複数のＰＡＮ処理ユニットまたはそれを構成する構成要素の実装を避けるために、送信局および／または受信局におけるＰＣＳ用のＰＡＮ符号化および／または復号手順を容易にするのに利用される。たとえば、割り当てられた規定ＴＦＩ（割り当てられたＴＢＦに対応する）でＰＣＳをマスクするのに第１の実装シーケンスが使われ、ＰＡＮ送信およびその内容に関連づけられたＴＦＩがないときにＰＣＳをマスクするのに第２の実装シーケンスが使われる場合である。このような特殊または予約値を使って第２の実装シーケンス用のＰＣＳをマスクすると、ＰＡＮに関連づけられたＴＦＩがない場合でも、第１の実装シーケンスの利用が可能になる。後者のケースでは、ＴＦＩのマスク用に「０」にセットされた一連のビットを使うと、計算されたＰＣＳは、構成ＣＲＣに対応する。特殊または予約識別子が異なるシーケンスである場合でも、第１の実装シーケンスとの位置合せには単純ビット反転手順を用いることができるので、第２の実装シーケンスの実装が要求されることはない。
【００４４】
実施形態
【００４５】
１．ＰＡＮフィールドが向けられているＴＢＦを指示する方法。
【００４６】
２．ＰＡＮフィールドに基づいてＰＣＳを生成することを含む実施形態１に記載の方法。
【００４７】
３．ＰＡＮフィールドが向けられているＴＢＦのＴＦＩからシーケンスを生成することを含む実施形態２に記載の方法。
【００４８】
４．ＰＣＳをシーケンスでマスクすることを含む実施形態３に記載の方法。
【００４９】
５．ＰＡＮフィールドおよびマスク済みＰＣＳを含む無線ブロックを送ることを含む実施形態４に記載の方法。
【００５０】
６．シーケンスは、リードマラーコーディング、ＣＲＣ符号化、畳込み符号化、擬似ノイズ生成、反復、およびテーブルマッピングの１つによって生成される実施形態３〜５のいずれか１つに記載の方法。
【００５１】
７．ＴＢＦに向けられているＰＡＮフィールドを処理する方法。
【００５２】
８．ＰＡＮフィールドおよびマスク済みＰＣＳを含む無線ブロックを受信することを含む実施形態７に記載の方法。
【００５３】
９．ＴＢＦのＴＦＩからシーケンスを生成することを含む実施形態８に記載の方法。
【００５４】
１０．マスク済みＰＣＳをシーケンスでデマスクすることを含む実施形態９に記載の方法。
【００５５】
１１．ＰＡＮフィールドおよびデマスク済みＰＣＳでＰＣＳ復号を実施することを含む実施形態１０に記載の方法。
【００５６】
１２．シーケンスは、リードマラーコーディング、ＣＲＣ符号化、畳込み符号化、擬似ノイズ生成、反復、およびテーブルマッピングの１つによって生成される実施形態９〜１１のいずれか１つに記載の方法。
【００５７】
１３．ＰＡＮフィールドに基づいてＰＣＳを生成することを含む実施形態１に記載の方法。
【００５８】
１４．通信ピアに割り当てられた複数のＴＦＩの１つでＰＣＳをマスクすることであって、ＴＦＩは、ただ１つのＴＦＩが通信ピアで検査される必要があるように、通信ピアと事前に合意した規則に従って選択されることを含む実施形態１３に記載の方法。
【００５９】
１５．ＰＡＮフィールドおよびマスク済みＰＣＳを含む無線ブロックを送ることを含む実施形態１４に記載の方法。
【００６０】
１６．規則は、ある特定のダウンリンク無線ブロックにおいて選択されるべき、ある特定のＴＦＩを指定する実施形態１４〜１５のいずれか１つに記載の方法。
【００６１】
１７．ＰＡＮフィールドおよびマスク済みＰＣＳを含むデータブロックを受信することを含む実施形態７に記載の方法。
【００６２】
１８．通信ピアと事前に合意した規則に基づいて、複数のＴＦＩから１つのＴＦＩを選択することを含む実施形態１７に記載の方法。
【００６３】
１９．マスク済みＰＣＳを、選択されたＴＦＩでデマスクすることを含む実施形態１８に記載の方法。
【００６４】
２０．ＰＡＮフィールドおよびデマスク済みＰＣＳでＰＣＳ復号を実施することを含む実施形態１９に記載の方法。
【００６５】
２１．規則は、ある特定のダウンリンク無線ブロック中で選択されるべき、ある特定のＴＦＩを指定する実施形態１８〜２０のいずれか１つに記載の方法。
【００６６】
２２．ＰＡＮフィールドに基づいてＰＣＳを生成することを含む実施形態１に記載の方法。
【００６７】
２３．通信ピアに割り当てられた複数のＴＦＩの１つでＰＣＳをマスクすることを含む実施形態２２に記載の方法。
【００６８】
２４．ＰＡＮフィールド、マスク済みＰＣＳおよび二次識別子を含むデータブロックを送ることであって、二次識別子は、通信ピアがただ１つのＴＦＩを検査すればよいように、ＰＡＮフィールドが向けられているＴＢＦを指示することを含む実施形態２３に記載の方法。
【００６９】
２５．ＰＡＮフィールドが向けられているＴＢＦを検出する方法。
【００７０】
２６．ＰＡＮフィールドおよびマスク済みＰＣＳを含むデータブロックを受信することであって、マスク済みＰＣＳは、ＴＦＩでマスクされていることを含む実施形態２５に記載の方法。
【００７１】
２７．ＰＡＮフィールドが向けられているＴＢＦを指示する二次識別子を検出することを含む実施形態２６に記載の方法。
【００７２】
２８．二次識別子に基づいて選択されたＴＦＩで、マスク済みＰＣＳをデマスクすることを含む実施形態２７に記載の方法。
【００７３】
２９．ＰＡＮフィールドおよびデマスク済みＰＣＳでＰＣＳ復号を実施することを含む実施形態２８に記載の方法。
【００７４】
３０．ＰＡＮフィールドが向けられているＴＢＦを指示する方法。
【００７５】
３１．ＰＡＮフィールドに基づいてＰＣＳを生成することを含む実施形態３０に記載の方法。
【００７６】
３２．通信ピアに割り当てられた複数のＴＦＩの１つでＰＣＳをマスクすることを含む実施形態３１に記載の方法。
【００７７】
３３．ＰＡＮフィールド、マスク済みＰＣＳ、特殊値、および二次識別子を含む無線ブロックを送ることであって、特殊値は、ある特定の通信ピアに割り当てられた全ＴＢＦを表し、二次識別子は、ＰＡＮフィールドが向けられているＴＢＦを指示することを含む実施形態３２に記載の方法。
【００７８】
３４．ＰＡＮフィールドが向けられているＴＢＦを検出する方法。
【００７９】
３５．ＰＡＮフィールドおよびマスク済みＰＣＳを含むデータブロックを受信することであって、マスク済みＰＣＳは、受信局に割り当てられた複数のＴＦＩでマスクされていることを含む実施形態３４に記載の方法。
【００８０】
３６．受信局に割り当てられた全ＴＢＦを表す特殊値を検出することを含む実施形態３５に記載の方法。
【００８１】
３７．ＰＡＮフィールドが向けられているＴＢＦを指示する二次識別子を検出することを含む実施形態３５〜３６のいずれか１つに記載の方法。
【００８２】
３８．二次識別子に基づいて選択されたＴＦＩで、マスク済みＰＣＳをデマスクすることを含む実施形態３７に記載の方法。
【００８３】
３９．ＰＡＮフィールドおよびデマスク済みＰＣＳでＰＣＳ復号を実施することを含む実施形態３８に記載の方法。
【００８４】
４０．ＴＢＦで制御を行う方法。
【００８５】
４１．ＰＡＮフィールドを生成することを含む実施形態４０に記載の方法。
【００８６】
４２．無線ブロックをリッスンする受信局に影響を与えるアクションを示す特殊値をＰＡＮフィールド上でセットすることを含む実施形態４１に記載の方法。
【００８７】
４３．ＰＡＮフィールドを含む無線ブロックを送ることを含む実施形態４２に記載の方法。
【００８８】
４４．特殊値は、ＡＣＫウィンドウのリセットおよびＲＬＣ／ＭＡＣプロトコル情報に関する情報の少なくとも一方を示す実施形態４２〜４３のいずれか１つに記載の方法。
【００８９】
４５．特殊値は、予約ＴＢＦコードである実施形態４２〜４４のいずれか１つに記載の方法。
【００９０】
４６．特殊値は、すべて「０」にセットされたＴＦＩである実施形態４２〜４５のいずれか１つに記載の方法。
【００９１】
４７．ＴＢＦに対して制御を行う方法。
【００９２】
４８．ＰＡＮフィールドを含む無線ブロックを受信することを含む実施形態４７に記載の方法。
【００９３】
４９．無線ブロックをリッスンする受信局に影響を与えるアクションを示す特殊値をＰＡＮフィールド上で検出することを含む実施形態４８に記載の方法。
【００９４】
５０．特殊値で示されるアクションを実施することを含む実施形態４９に記載の方法。
【００９５】
５１．特殊値は、ＡＣＫウィンドウのリセットおよびＲＬＣ／ＭＡＣプロトコル情報に関する情報の少なくとも一方を示す実施形態４９〜５０のいずれか１つに記載の方法。
【００９６】
５２．特殊値は、予約ＴＢＦコードである実施形態４９〜５１のいずれか１つに記載の方法。
【００９７】
５３．特殊値は、すべて「０」にセットされたＴＦＩである実施形態４９〜５２のいずれか１つに記載の方法。
【００９８】
５４．ＴＢＦで制御を行う方法。
【００９９】
５５．ＰＡＮフィールドを生成することを含む実施形態５４に記載の方法。
【０１００】
５６．ＰＡＮフィールドからＰＣＳを生成することを含む実施形態５５に記載の方法。
【０１０１】
５７．無線ブロックをリッスンする受信局に影響を与えるアクションを示すために予約された特殊値でＰＣＳをマスクすることを含む実施形態５６に記載の方法。
【０１０２】
５８．ＰＡＮフィールドおよびマスク済みＰＣＳを含む無線ブロックを送ることを含む実施形態５７に記載の方法。
【０１０３】
５９．ＰＣＳにより示される特殊値は、ＡＣＫウィンドウのリセットおよびＲＬＣ／ＭＡＣプロトコル情報に関する情報の少なくとも一方を示す実施形態５７〜５８のいずれか１つに記載の方法。
【０１０４】
６０．特殊値は、すべて「０」にセットされたＴＦＩである実施形態５７〜５９のいずれか１つに記載の方法。
【０１０５】
６１．ＰＡＮが複数の受信局によって復号される必要がある場合、特殊値が使われる実施形態５７〜６０のいずれか１つに記載の方法。
【０１０６】
６２．ＴＢＦにで制御を行う方法。
【０１０７】
６３．ＰＡＮフィールドおよび特殊値でマスクされたマスク済みＰＣＳを含む無線ブロックを受信することを含む実施形態６２に記載の方法。
【０１０８】
６４．無線ブロックをリッスンする受信局に影響を与えるアクションを示す特殊値をＰＣＳ復号により検出することを含む実施形態６３に記載の方法。
【０１０９】
６５．特殊値で示されるアクションを実施することを含む実施形態６４に記載の方法。
【０１１０】
６６．ＰＣＳにより示される特殊値は、ＡＣＫウィンドウのリセットおよびＲＬＣ／ＭＡＣプロトコル情報に関する情報の少なくとも一方を示す実施形態６３〜６５のいずれか１つに記載の方法。
【０１１１】
６７．特殊値は、すべて「０」にセットされたＴＦＩである実施形態６３〜６６のいずれか１つに記載の方法。
【０１１２】
６８．ＰＡＮフィールドが向けられているＴＢＦを指示する機器。
【０１１３】
６９．ＰＡＮフィールドに基づいてＰＣＳを生成するＰＣＳジェネレータを備える実施形態６８に記載の機器。
【０１１４】
７０．ＰＡＮフィールドが向けられているＴＢＦのＴＦＩからシーケンスを生成するシーケンスジェネレータを備える実施形態６８〜６９のいずれか１つに記載の機器。
【０１１５】
７１．ＰＣＳをシーケンスでマスクするマスキングユニットを備える実施形態７０に記載の機器。
【０１１６】
７２．ＰＡＮフィールドおよびマスク済みＰＣＳを含む無線ブロックを送るトランシーバを備える実施形態７１に記載の機器。
【０１１７】
７３．シーケンスジェネレータは、リードマラーコーダ、ＣＲＣジェネレータ、畳込みエンコーダ、擬似ノイズジェネレータ、リピータ、およびマッピングテーブルの１つである実施形態７０〜７２のいずれか１つに記載の機器。
【０１１８】
７４．ＴＢＦに向けられたＰＡＮフィールドを処理する機器。
【０１１９】
７５．ＰＡＮフィールドおよびマスク済みＰＣＳを含む無線ブロックを受信するトランシーバを備える実施形態７４に記載の機器。
【０１２０】
７６．ＴＢＦのＴＦＩからシーケンスを生成するシーケンスジェネレータを備える実施形態７４〜７５のいずれか１つに記載の機器。
【０１２１】
７７．マスク済みＰＣＳをシーケンスでデマスクするデマスキングユニットを備える実施形態７６に記載の機器。
【０１２２】
７８．ＰＡＮフィールドおよびデマスク済みＰＣＳでのＰＣＳ復号を実施するＰＣＳデコーダを備える実施形態７７に記載の機器。
【０１２３】
７９．シーケンスジェネレータは、リードマラーコーダ、ＣＲＣジェネレータ、畳込みエンコーダ、擬似ノイズジェネレータ、リピータ、およびマッピングテーブルの１つである実施形態７６〜７８のいずれか１つに記載の機器。
【０１２４】
８０．ＰＡＮフィールドに基づいてＰＣＳを生成するＰＣＳジェネレータを備える実施形態６８に記載の機器。
【０１２５】
８１．通信ピアに割り当てられた複数のＴＦＩの１つで、ＰＣＳをマスクするマスキングユニットを備え、ＴＦＩは、通信ピアと事前に合意した規則に従って選択される実施形態８０に記載の機器。
【０１２６】
８２．ＰＡＮフィールドおよびマスク済みＰＣＳを含む無線ブロックを送るトランシーバを備える実施形態８１に記載の機器。
【０１２７】
８３．規則は、ある特定のダウンリンク無線ブロックにおいて選択されるべき、ある特定のＴＦＩを指定する実施形態８１〜８２のいずれか１つに記載の機器。
【０１２８】
８４．ＰＡＮフィールドおよびマスク済みＰＣＳを含む無線ブロックを受信するトランシーバを備える実施形態７４に記載の機器。
【０１２９】
８５．割り当てられた複数のＴＦＩの１つで、マスク済みＰＣＳをデマスクするデマスキングユニットを備え、ＴＦＩは、通信ピアと事前に合意した規則に従って選択される実施形態８４に記載の機器。
【０１３０】
８６．ＰＡＮフィールドおよびデマスク済みＰＣＳでのＰＣＳ復号を実施するＰＣＳデコーダを備える実施形態８５に記載の機器。
【０１３１】
８７．規則は、ある特定のダウンリンク無線ブロック中で選択されるべき、ある特定のＴＦＩを指定する実施形態８５〜８６のいずれか１つに記載の機器。
【０１３２】
８８．ＰＡＮフィールドに基づいてＰＣＳを生成するＰＣＳジェネレータを備える実施形態６８に記載の機器。
【０１３３】
８９．通信ピアに割り当てられた複数のＴＦＩの１つで、ＰＣＳをマスクするマスキングユニットを備える実施形態８８に記載の機器。
【０１３４】
９０．ＰＡＮフィールド、マスク済みＰＣＳ、および二次識別子を含む無線ブロックを送るトランシーバを備え、二次識別子は、通信ピアがただ１つのＴＦＩを検査すればよいように、ＰＡＮフィールドが向けられているＴＢＦを示す実施形態８９に記載の機器。
【０１３５】
９１．ＰＡＮフィールドおよびマスク済みＰＣＳを含む無線ブロックを受信するトランシーバを備え、マスク済みＰＣＳは、ＴＦＩでマスクされている実施形態７４に記載の機器。
【０１３６】
９２．ＰＡＮフィールドが向けられているＴＢＦを示す二次識別子を検出するコントローラを備える実施形態９１に記載の機器。
【０１３７】
９３．二次識別子に基づいて選択されたＴＦＩで、マスク済みＰＣＳをデマスクするデマスキングユニットを備える実施形態９２に記載の機器。
【０１３８】
９４．ＰＡＮフィールドおよびデマスク済みＰＣＳでのＰＣＳ復号を実施するＰＣＳデコーダを備える実施形態９３に記載の機器。
【０１３９】
９５．ＰＡＮフィールドに基づいてＰＣＳを生成するＰＣＳジェネレータを備える実施形態６８に記載の機器。
【０１４０】
９６．通信ピアに割り当てられた複数のＴＦＩの１つで、ＰＣＳをマスクするマスキングユニットを備える実施形態９５に記載の機器。
【０１４１】
９７．ＰＡＮフィールド、マスク済みＰＣＳ、特殊値、および二次識別子を含む無線ブロックを送るトランシーバを備え、特殊値は、ある特定の通信ピアに割り当てられた全ＴＢＦを表し、二次識別子は、ＰＡＮフィールドが向けられているＴＢＦを示す実施形態９６に記載の機器。
【０１４２】
９８．ＰＡＮフィールドおよびマスク済みＰＣＳを含む無線ブロックを受信するトランシーバを備え、マスク済みＰＣＳは、受信局に割り当てられたＴＦＩでマスクされている実施形態７４に記載の機器。
【０１４３】
９９．受信局に割り当てられた全ＴＢＦを表す特殊値を検出し、ＰＡＮフィールドが向けられているＴＢＦを示す二次識別子を検出するコントローラを備える実施形態９８に記載の機器。
【０１４４】
１００．二次識別子に基づいて選択されたＴＦＩで、マスク済みＰＣＳをデマスクするデマスキングユニットを備える実施形態９９に記載の機器。
【０１４５】
１０１．ＰＡＮフィールドおよびデマスク済みＰＣＳでのＰＣＳ復号を実施するＰＣＳデコーダを備える実施形態１００に記載の機器。
【０１４６】
１０２．ＴＢＦで制御を行う機器。
【０１４７】
１０３．ＰＡＮフィールドを含むデータブロックを生成する処理ユニットを備える実施形態１０２に記載の機器。
【０１４８】
１０４．無線ブロックをリッスンする受信局に影響を与えるアクションを示す特殊値をＰＡＮフィールド上でセットするコントローラを備える実施形態１０３に記載の機器。
【０１４９】
１０５．ＰＡＮフィールドを含む無線ブロックを送るトランシーバを備える実施形態１０４に記載の機器。
【０１５０】
１０６．特殊値は、ＡＣＫウィンドウのリセットおよびＲＬＣ／ＭＡＣプロトコル情報に関する情報の少なくとも一方を示す実施形態１０４〜１０５のいずれか１つに記載の機器。
【０１５１】
１０７．特殊値は、予約ＴＢＦコードである実施形態１０４〜１０６のいずれか１つに記載の機器。
【０１５２】
１０８．特殊値は、すべて「０」にセットされたＴＦＩである実施形態１０４〜１０７のいずれか１つに記載の機器。
【０１５３】
１０９．ＴＢＦで制御を行う機器。
【０１５４】
１１０．ＰＡＮフィールドを含む無線ブロックを受信するトランシーバを備える実施形態１０９に記載の機器。
【０１５５】
１１１．無線ブロックをリッスンする受信局に影響を与えるアクションを示す特殊値をＰＡＮフィールド上で検出し、特殊値で示されるアクションを実施するコントローラを備える実施形態１１０に記載の機器。
【０１５６】
１１２．特殊値は、ＡＣＫウィンドウのリセットおよびＲＬＣ／ＭＡＣプロトコル情報に関する情報の少なくとも一方を示す実施形態１１１に記載の機器。
【０１５７】
１１３．特殊値は、予約ＴＢＦコードである実施形態１１１〜１１２のいずれか１つに記載の機器。
【０１５８】
１１４．特殊値は、すべて「０」にセットされたＴＦＩである実施形態１１１〜１１３のいずれか１つに記載の機器。
【０１５９】
１１５．ＴＢＦで制御を行う機器。
【０１６０】
１１６．ＰＡＮフィールドを生成し、ＰＡＮフィールドからＰＣＳを生成するプロセッサを備える実施形態１１５に記載の機器。
【０１６１】
１１７．無線ブロックをリッスンする受信局に影響を与えるアクションを示すために予約された特殊値でＰＣＳをマスクするコントローラを備える実施形態１１６に記載の機器。
【０１６２】
１１８．ＰＡＮフィールドおよびマスク済みＰＣＳを含む無線ブロックを送るトランシーバを備える実施形態１１７に記載の機器。
【０１６３】
１１９．ＰＣＳにより示される特殊値は、ＡＣＫウィンドウのリセットおよびＲＬＣ／ＭＡＣプロトコル情報に関する情報の一方を示す実施形態１１７〜１１８のいずれか１つに記載の機器。
【０１６４】
１２０．特殊値は、すべて「０」にセットされたＴＦＩである実施形態１１７〜１１９のいずれか１つに記載の機器。
【０１６５】
１２１．ＰＡＮが複数の受信局によって復号される必要があるとき、特殊値が使われる実施形態１１７〜１２０のいずれか１つに記載の機器。
【０１６６】
１２２．ＴＢＦで制御を行う機器。
【０１６７】
１２３．ＰＡＮフィールドおよび特殊値でマスクされたマスク済みＰＣＳを含む無線ブロックを受信するトランシーバを備える実施形態１２２に記載の機器。
【０１６８】
１２４．無線ブロックをリッスンする受信局に影響を与えるアクションを示す特殊値をＰＣＳ復号により検出するプロセッサを備える実施形態１２３に記載の機器。
【０１６９】
１２５．特殊値で示されるアクションを実施するコントローラを備える実施形態１２４に記載の機器。
【０１７０】
１２６．ＰＣＳにより示される特殊値は、ＡＣＫウィンドウのリセットおよびＲＬＣ／ＭＡＣプロトコル情報に関する情報の一方を示す実施形態１２３〜１２５のいずれか１つに記載の機器。
【０１７１】
１２７．特殊値は、すべて「０」にセットされたＴＦＩである実施形態１２３〜１２６のいずれか１つに記載の機器。
【０１７２】
１２８．ＴＢＦに向けられたＰＡＮフィールドを処理する機器。
【０１７３】
１２９．ＰＡＮフィールドおよびマスク済みＰＣＳを含む無線ブロックを受信するトランシーバを備える実施形態１２８に記載の機器。
【０１７４】
１３０．ＴＢＦのＴＦＩからシーケンスを生成するシーケンスジェネレータを備える実施形態１２９に記載の機器。
【０１７５】
１３１．受信したＰＡＮフィールドでのＰＣＳ符号化を実施して、ＰＣＳを生成するＰＣＳエンコーダを備える実施形態１３０に記載の機器。
【０１７６】
１３２．生成されたＰＣＳをシーケンスでマスクするマスキングユニットを備える実施形態１３１に記載の機器。
【０１７７】
１３３．受信したマスク済みＰＣＳと生成されたマスク済みＰＣＳを比較する比較器を備える実施形態１３２に記載の機器。
【０１７８】
特徴および要素について、具体的な組合せとして上で説明したが、各特徴または要素は、他の特徴および要素なしで個別に、あるいは他の特徴および要素ありでもなしでも、様々に組み合わせて用いることができる。ここで挙げた方法またはフローチャートは、汎用コンピュータまたはプロセッサによる実行用のコンピュータ可読記憶媒体に組み込まれる、コンピュータプログラム、ソフトウェア、またはファームウェア中に実装することができる。コンピュータ可読記憶媒体の例は、読出し専用メモリ（ＲＯＭ）、ランダムアクセスメモリ（ＲＡＭ）、レジスタ、キャッシュメモリ、半導体メモリ素子、内部ハードディスクおよび取外し可能ディスクなどの磁気メディア、光磁気メディア、およびＣＤ−ＲＯＭディスク、およびデジタル多用途ディスク（ＤＶＤ）などの光メディアを含む。
【０１７９】
適切なプロセッサは、例として、汎用プロセッサ、特殊目的プロセッサ、従来のプロセッサ、デジタル信号プロセッサ（ＤＳＰ）、複数のマイクロプロセッサ、ＤＳＰコアと関連した１つもしくは複数のマイクロプロセッサ、コントローラ、マイクロコントローラ、特定用途向け集積回路（ＡＳＩＣ）、フィールドプログラム可能なゲートアレイ（ＦＰＧＡ）回路、他の任意のタイプの集積回路（ＩＣ）、および／または状態マシンを含む。
【０１８０】
ソフトウェアと関連したプロセッサは、ワイヤレス送受信ユニット（ＷＴＲＵ）、ユーザ機器（ＵＥ）、端末、基地局、無線ネットワークコントローラ（ＲＮＣ）、または任意のホストコンピュータ内で使用するための無線周波数トランシーバを実装するのに使うことができる。ＷＴＲＵは、カメラ、ビデオカメラモジュール、テレビ電話、スピーカーフォン、振動装置、スピーカ、マイクロホン、テレビトランシーバ、ハンズフリーヘッドセット、キーボード、ブルートゥース（登録商標）モジュール、周波数変調（ＦＭ）無線ユニット、液晶ディスプレイ（ＬＣＤ）表示ユニット、有機発光ダイオード（ＯＬＥＤ）表示ユニット、デジタル音楽プレーヤ、メディアプレーヤ、ビデオゲームプレーヤモジュール、インターネットブラウザ、および／または任意のワイヤレスローカルエリアネットワーク（ＷＬＡＮ）もしくは超広帯域（ＵＷＢ）モジュールなど、ハードウェアおよび／またはソフトウェア中に実装されるモジュールとともに使うことができる。
【図１】
0005156827.tif 000004
【図２】
0005156827.tif 000005
【図３】
0005156827.tif 000006
【図４】
0005156827.tif 000007